(57)【特許請求の範囲】
【請求項１】
公衆回線を利用可能の移動電話と、該移動電話と共に利用者に携帯され前記移動電話の電話番号についての情報を送出するための通信器とを含むサービスシステムのための自動サービス装置であって、
所定のサービスを受けようとする前記利用者が前記サービスに応じた所定の情報を入力するための入力操作部と、該入力操作部からの情報に応じたサービスを出力するための動作制御部と、前記通信器との通信により前記移動電話の電話番号についての情報を受けるための通信機構と、該通信機構により得られた前記電話番号情報に基づいて前記公衆回線を経て前記移動電話を呼び出すための呼制御回路と、該呼制御回路による発呼に基づいて通話可能となった前記移動電話を経て、前記サービス装置のサービスについての案内を前記利用者に伝えるための発声回路と、前記入力操作部からの情報に代えて、前記利用者に前記入力情報に応じた所定のサービスを提供すべく、前記案内に応答した前記利用者からの前記移動電話を経る入力情報に基づいて、前記動作制御部に所定の動作信号を出力する処理部とを備え、
さらに、該装置への利用者の接近を検知するためのセンサを備え、前記通信機構は、前記センサからの検知信号により、前記通信器から前記情報を受けるべく要求信号を発し、前記要求信号に応答した前記通信器からの前記情報を受けたとき、前記呼制御回路により前記移動電話を呼び出すことを特徴とする自動サービス装置。
【発明の詳細な説明】
【０００１】
【発明の属する技術分野】
本発明は、例えば、駅構内に設けられている自動券売機あるいは図書館やショッピングセンターなどに設けられている情報検索端末などのような自動サービス装置を利用しようとする者自身が該サービス装置を操作することにより、販売や情報提供等の所定のサービスを受けることができる自動サービスシステムに関し、特に、利用者が所持する携帯電話あるいはＰＨＳ（登録商標）等の移動電話を利用して自動サービス装置を操作することのできるサービスシステムに関する。
【０００２】
【従来の技術】
従来、自動券売機あるいは情報検索端末のような自動サービス装置には、例えば、操作案内のための液晶パネルのような表示部および操作を行うためのタッチパネルあるいは押しボタン等の操作部が設けられている。利用者は、前記した所定のサービスを受けるべく、各装置の液晶パネル等に示される画面上での案内に沿って操作を行うことができる。
【０００３】
ところで、操作部の押しボタンの機能およびその配置や操作方法などは、一般的に、装置のサービス内容、装置の機種ごとに異なる。そのため、各装置に固有な操作のそれぞれについての操作案内を音声で行うことにより、視覚障害を有する人あるいは文字の判読能力に劣る子供のような不慣れな人等が利用する際の一層の便宜を計ることが試みられている。
【０００４】
【発明が解決しようとする課題】
しかしながら、上記した従来の技術では、利用者は、例えば、初めて利用する装置を操作する場合、前記した機種ごとに異なる押しボタンの配置などを詳しく把握していないことから、円滑な操作が困難になることがあった。また、音声案内を行う複数の装置が並んで設置されているような場合、操作中の装置からの音声と隣接装置からの音声とが混ざり合うと、必要とされる案内が聞き取りにくくなるという問題があった。
従って、本発明の目的は、明瞭な音声案内および自動サービス装置を操作するための操作媒体の統合化を可能とすることにより、操作を容易とするサービスシステムを提供することにある。
【０００５】
【課題を解決するための手段】
本発明は、基本的には、広く普及する移動電話を操作媒体とし、該移動電話を利用しての自動サービス装置の操作を可能とすべく、移動電話に携行される通信器から当該移動電話の電話番号を自動サービス装置へ送信し、自動サービス装置が該装置と移動電話との間での通話を確立することにより、この通話によって自動サービス装置を遠隔操作する、という構想に立脚する。
【０００７】
〈構成１〉
本発明に係る自動サービス装置は、公衆回線を利用可能の移動電話と、該移動電話と共に利用者に携帯され前記移動電話の電話番号についての情報を送出するための通信器とを含むサービスシステムのための自動サービス装置であって、所定のサービスを受けようとする前記利用者が前記サービスに応じた所定の情報を入力するための入力操作部と、該入力操作部からの情報に応じたサービスを出力するための動作制御部と、前記通信器との通信により前記移動電話の電話番号についての情報を受けるための通信機構と、該通信機構により得られた前記電話番号情報に基づいて前記公衆回線を経て前記移動電話を呼び出すための呼制御回路と、該呼制御回路による発呼に基づいて通話可能となった前記移動電話を経て、前記サービス装置のサービスについての案内を前記利用者に伝えるための発声回路と、前記入力操作部からの情報に代えて、前記利用者に前記入力情報に応じた所定のサービスを提供すべく、前記案内に応答した前記利用者からの前記移動電話を経る入力情報に基づいて、前記動作制御部に所定の動作信号を出力する処理部とを備え、さらに、該装置への利用者の接近を検知するためのセンサを備え、前記通信機構は、前記センサからの検知信号により、前記通信器から前記情報を受けるべく要求信号を発し、前記要求信号に応答した前記通信器からの前記情報を受けたとき、前記呼制御回路により前記移動電話を呼び出すことを特徴とする。
【０００８】
本発明によれば、前記自動サービス装置は、該装置の前記通信機構により、利用者が携帯する移動電話の電話番号に関する情報を該移動電話と共に携帯される前記通信器から受信すると、該装置の前記呼制御回路により、前記移動電話を呼び出し、該移動電話との通話を確立し、前記発声回路による操作案内を利用者が手にする前記移動電話を介してこの利用者に伝える。
前記自動サービス装置は、この案内に対する利用者からの応答を前記移動電話を通して受信すると、前記した応答すなわち入力情報に対応する所定の動作信号を前記処理部から前記動作制御部に送出することにより、前記入力情報に対応する所定のサービスを実行する。
従って、本発明によれば、前記自動サービス装置の利用者は、該利用者が所持する前記移動電話の操作により、前記自動サービス装置を遠隔操作することが可能となる。
【０００９】
前記自動サービス装置は、利用者が前記移動電話を例えばその操作ボタンを手動で操作することにより生成されるトーン信号、または、利用者が前記移動電話へ音声を発することにより生成される音声信号を、利用者からの入力情報として受けることができ、この入力情報の処理を行うべく、該情報に基づいて生成された動作信号を前記処理部から前記動作制御部へ送る。
【００１０】
前記自動サービス装置に、該装置への利用者の接近を検知するためのセンサを設けることができ、前記自動サービス装置は、前記センサからの検知信号により、前記通信器から前記電話番号に関する情報を受けるべく、前記通信機構から要求信号を発することができる。
【００１１】
前記自動サービス装置は、前記要求信号に応答した前記通信器からの前記情報を受けたとき、前記呼制御回路により前記移動電話を呼び出すことができ、これにより前記移動電話との交信が可能となる。
【００１２】
前記通信器は、これを前記移動電話に一体的に設けることができる。また、前記移動電話の操作キー上に点字を付すことが望ましい。
【００１３】
【発明の実施の形態】
以下、本発明の実施の形態を具体例を用いて説明する。
〈具体例１〉
本発明に係る具体例１のサービスシステム１０は、図１に示すように、自動サービス装置１１と、該装置との交信のための移動電話１２および通信器１３とを備える。
図示の例では、前記自動サービス装置１１は、図示しないホストコンピュータの管理下におかれる、例えば駅構内に乗車券の販売のために設置される自動発券装置のような顧客操作型端末装置であり、前記移動電話１２は、例えば電話回線のような公衆回線１４を使用する携帯電話１２である。
また、前記通信器１３は、前記携帯電話１２のアダプタとして、これと共に利用者に所持される通信アダプタ１３として示されている。
【００１４】
前記自動サービス装置１１は、そのバス１１Ａに接続されたオプション機構１５および制御部１６を含み、前記オプション機構１５の構成における各々の仕様等は、前記自動サービス装置のサービス内容等に応じて、適宜、入れ替えることができる。すなわち、自動サービス装置が自動発券装置１１を示す図示の例では、前記オプション機構１５は、従来よく知られた発券機構１５である。
【００１５】
前記自動発券装置１１の前記オプション機構である発券機構１５には、前記したホストコンピュータと前記自動発券装置１１との間の交信のための上位ホスト通信インタフェース回路１５ａと、利用者が乗車券を選択するためのキー群を含む入力操作部１５ｂと、操作案内を表示するための例えば液晶パネルのような表示部１５ｃと、選択された乗車券を発券するための出力部１５ｄとが設けられている。各部１５ａ、１５ｂ、１５ｃおよび１５ｄは、前記バス１１Ａを介して前記制御部１６に接続されている。
前記自動発券装置１１は、図示の例では、前記したホストコンピュータにより、従来よく知られているように、前記自動発券装置１１を含む多数の同種の自動発券機と共に集中管理を受ける。
【００１６】
また、前記制御部１６には、前記自動発券装置１１に必要とされる、例えば前記した発券処理および後述する操作案内等の処理を総括的に制御する中央処理装置１６ａと、該装置による前記した処理の際に発生するデータを必要に応じて読み書きするための主記憶装置１６ｂと、前記中央処理装置１６ａが行う前記した処理のためのプログラムを格納しておくための読み出し専用記憶装置１６ｃとが設けられている。読み出し専用記憶装置１６ｃには、さらに、後述する、前記通信アダプタ１３との通信および前記携帯電話１２との交信のためのプログラムが格納されている。
制御部１６には、さらに、必要に応じて、前記自動発券装置１１に必要なデータを格納しておくための二次記憶装置１６ｄを設けることができる。
【００１７】
前記自動発券装置１１で乗車券を購入しようとする利用者が、前記自動発券装置１１の前記表示部１５ｃに示される案内に沿って、前記入力操作部１５ｂにて所定の操作を行うと、従来よく知られているように、前記制御部１６の制御下で、所望の乗車券が前記出力部１５ｄから発券される。
【００１８】
さらに、前記自動発券装置１１には、前記入力操作部１５ｂからの前記した入力操作に代えて、手元の携帯電話１２を通しての入力操作を可能とするために、利用者の接近を検知するためのセンサ１７と、前記利用者の前記携帯電話１２の電話番号を要求すべく、前記通信アダプタ１３との間で交信するための前記通信機構１８と、前記自動発券装置１１および前記移動電話１２間の通信を確立すべく、前記した要求により得た前記電話番号に基づいて前記携帯電話１２を呼び出すための呼制御回路１９と、前記した通信の確立後に前記移動電話１２へ操作案内を送るべく、この案内を示す音声を生成するための発声回路２０と、前記操作案内に応答した前記携帯電話１２からの入力情報に応じた動作信号を前記制御部１６へ送るための処理部２１とを備える。前記した各部１７、１８、１９、２０および２１は、それぞれバス１１Ａに接続されている。前記処理部２１には、前記携帯電話１２から送られる前記したトーン信号が示す情報を検出するための、従来よく知られたＤＴＭＦ（Dual Tone Multi Frequency）検出回路２１ａが設けられている。
【００１９】
図示の例では、前記センサ１７は、人間の接近等を検知する、例えば赤外線センサのような近接センサ１７であり、該センサが利用者の接近を検知すると、検知信号が近接センサ１７から前記制御部１６へ送られる。
前記制御部１６は、前記近接センサ１７からの前記検知信号を受信すると、前記自動発券装置１１と前記通信アダプタ１３との間での前記した交信を無線通信で行うための通信機構として設けられた無線通信インタフェース回路１８を経て、前記携帯電話１２の電話番号を要求するための通信要求信号を前記通信アダプタ１３へ送信する。
【００２０】
さらに、図示の例では、前記呼制御回路１９は、電話網における呼制御を行うための、従来よく知られたＮＣＵ回路１９であり、また、前記発声回路２０は、従来よく知られた、音声を生成するための音声合成回路２０として示されている。
前記無線通信インタフェース回路１８を経ての後述する通信アダプタ１３との交信で得られた前記電話番号に基づいて、前記制御部１６の制御下で、前記ＮＣＵ回路１９が公衆回線１４を経て携帯電話１２を呼び出す。
【００２１】
前記した呼び出し後、前記自動発券装置１１と前記携帯電話１２との間の通信が確立されると、前記音声合成回路２０で生成された音声案内が前記携帯電話１２へ送られる。
音声案内に応答した前記したダイヤルキー操作により、このキー操作に応じた前記トーン信号が前記携帯電話１２から公衆回線１４を経て前記自動発券装置１１へ返されると、前記ＤＴＭＦ検出回路２１ａが前記ダイヤルキー操作に応じたトーン信号を識別する。前記処理部２１は、前記ＤＴＭＦ検出回路２１ａにより識別された前記トーン信号に対応する動作信号を前記制御部１６へ送る。
【００２２】
また、前記通信アダプタ１３は、前記した電話番号情報を格納するための記憶装置２２と、電話番号を前記自動発券装置１１へ送るための通信部２３とを備え、該通信部には、前記自動発券装置１１からの前記した無線通信に応じるための無線通信インタフェース回路２３ａが設けられている。
前記通信アダプタ１３は、その無線通信インタフェース回路２３ａおよび前記自動発券装置１１の前記無線通信インタフェース回路１８を通して、前記自動発券装置１１からの前記通信要求を受けたとき、前記通信部２３を経て、前記記憶装置２２の前記電話番号を利用者の操作を介することなく自動的に、前記自動発券装置１１へ送る。
【００２３】
ここで、具体例１のサービスシステム１０の利用者が、前記自動発券装置１１への入力操作を、前記携帯電話１２から行うことにより乗車券を購入する場合の動作手順を、図２に示すフローチャートに沿って説明する。
【００２４】
前記自動発券装置１１で乗車券を購入しようとする利用者は、あらかじめ前記通信アダプタ１３に、自己が所持する前記携帯電話１２の電話番号を登録しておく。前記通信アダプタ１３は、前記携帯電話１２と共に利用者により所持される。
【００２５】
前記自動発券装置１１は、アイドリング状態を示すステップＳ１では、前記したとおり、従来の自動発券装置におけると同様に、前記入力操作部１５ｂからの入力操作に応じた発券動作が可能であり、このアイドリング状態では、前記自動発券装置１１の前記近接センサ１７により、利用者の接近が監視される。
前記近接センサ１７が利用者の接近を検知したとき、前記検知信号が前記近接センサ１７から前記制御部１６へ送られる。
【００２６】
前記センサ１７が利用者の接近を検知すると、すなわち制御部１６が前記検知信号を受けると、前記自動発券装置１１は、ステップＳ２に示されているように、利用者の前記携帯電話１２の前記電話番号を求めるための通信要求信号を、前記無線通信インタフェース回路１８を経て前記通信アダプタ１３へ送る。
【００２７】
この要求信号に応じた前記通信アダプタ１３からの前記電話番号の通知がないとき、前記自動発券装置１１は、ステップＳ３に示されているように、前記したアイドリング状態におけると同様に、前記入力操作部１５ｂからの入力情報を待つ。
他方、前記通信アダプタ１３が、前記自動発券装置１１からの前記通信要求信号を受け、この要求信号に対し、前記通信アダプタ１３が前記記憶装置２２に格納されている前記電話番号を前記自動発券装置１１に送出すると、該発券装置はステップＳ３でこの電話番号情報を受ける。
【００２８】
前記通信アダプタ１３からの前記電話番号を前記自動発券装置１１が受信すると、ステップＳ４で、該装置が前記電話番号に基づいて前記携帯電話１２を呼び出す。
【００２９】
前記利用者が前記携帯電話１２からの前記した呼出しに応答することにより、前記自動発券装置１１と前記携帯電話１２との間の通信が確立すると、前記自動発券装置１１は、ステップＳ５で、操作案内を示す音声を前記携帯電話１２へ送信するための、後述する音声案内処理へ移行する。
また、前記自動発券装置１１と前記携帯電話１２との通話が所定時間中に確立されない場合、前記自動発券装置１１は、ステップＳ５に示されているように、前記したアイドリング状態におけると同様に、前記入力操作部１５ｂからの入力情報を待つ。
【００３０】
前記自動発券装置１１および前記携帯電話１２間の通話が可能となると、前記自動発券装置１１は、前記した音声案内処理を行うべく、前記公衆回線１４を経て前記携帯電話１２へ音声案内を送る。この音声案内では、その一例として「１５０円の切符を購入される場合、携帯電話のダイヤルキーの１を押してください。」というような案内を採用することができる。
【００３１】
前記した音声案内に対する応答として、例えばダイヤルキーの１に対応するトーン信号が前記携帯電話１２から前記自動発券装置１１に送られると、この信号に基づいて、入力操作部１５ｂの１５０円の操作キー押下時と同一な動作信号が前記処理部２１により生成され、この動作信号が制御部１６に送られる。前記自動発券装置１１は、前記処理部２１からの前記動作信号に基づき、前記利用者の所望する乗車券を発券し、操作案内処理および発券処理の一切を完了する。
これにより、自動発券装置１１からは、前記入力操作部１５ｂの操作キーの操作に代えて、携帯電話１２からのダイヤルキーの操作による遠隔操作が可能となる。
【００３２】
以上説明したように、具体例１の前記サービスシステム１０では、前記自動発券装置１１と前記通信アダプタ１３との交信により得られた電話番号情報から、前記携帯電話との通話を確立し、公衆回線を経て前記携帯電話から自動発券装置１１の遠隔操作が可能となることから、利用者が手元の携帯電話１２で自動発券装置１１の操作案内を受けることができ、しかも使い慣れた携帯電話１２の操作で自動発券装置１１の操作が可能となる。
したがって、利用者がたとえ視覚障害がある人であっても、隣接する自動発券装置が発する音声による干渉を受けることなく、操作案内を前記携帯電話１２から直接的に聞くことができる。このことから、前記した利用者は明瞭な音声案内を受けることが可能となる。
また、前記利用者が前記自動発券装置１１へ接近すると、前記利用者は、この接近により自動的に前記自動発券装置１１からの呼び出しを受けることができ、これにより、自己の所持する使い慣れた前記携帯電話１２から前記自動発券装置１１の遠隔操作を行うことができる。このことから、前記利用者は、一層円滑な操作を行うことが可能となる。
【００３３】
〈具体例２〉
具体例１では、前記自動発券装置１１からの音声案内に対する利用者の応答として、前記携帯電話１２から前記自動発券装置１１へダイヤルキー操作により前記トーン信号が送られた。
以下に説明する具体例２では、前記した利用者の応答として、該利用者がダイヤルキー操作に代えて、前記携帯電話１２へ音声を直接発することにより生成される音声信号が返送される場合の例を示す。
【００３４】
本発明に係る具体例２のサービスシステム１００を示す図３では、具体例１の前記サービスシステム１０の構成と同様な機能を果たす構成部分には、図１と同一の参照符号が付されている。
【００３５】
具体例２のサービスシステム１００では、前記した具体例１における前記自動発券装置１１の前記処理部２１内に、利用者からの前記音声信号が示す情報を認識するための音声認識回路２１ｂが設けられている。また、音声合成回路２０からの音声案内として、例えば、「目的地の駅名を言ってください。」のような案内が行われる。
【００３６】
前記音声認識回路２１ｂは、前記した案内に対する利用者からの応答として、例えば、音声による「東京駅」との応答を前記携帯電話１２を通して受けると、この音声を識別し、前記処理部２１が該当駅までの切符の発行に必要な動作信号を制御部１６に送る。この動作信号は、前記入力操作部１５ｂで「東京駅」までの切符を得るために必要な操作キー押下に基づく動作信号と同一である。
【００３７】
具体例２のサービスシステム１００における自動発券装置１１０と携帯電話１２との通話確立に関する動作手順は、具体例１の動作手順を示す図２と同様である。従って、以下に、前記携帯電話１２と前記自動発券装置１１０との通話が確立された後の動作を説明する。
【００３８】
前記した通話が確立されると、前記自動発券装置１１０は、前記携帯電話１２へ音声案内を送る。この案内は、前記したとおり、発券のための情報を具体的に口答で応答することを求める案内である。この案内に応答して前記携帯電話１２から公衆回線１４を経て前記音声信号が送られると、前記自動発券装置１１０は、前記音声認識回路２１ｂにより、前記したとおり、前記音声信号が示す情報を認識する。その後、前記した情報に基づいた動作信号が前記処理部２１から前記制御部１６へ送られた後、利用者の所望する乗車券が前記出力部１５ｄから発券されると、前記自動発券装置１１０に求められる操作案内処理および発券処理の一切が終了する。
【００３９】
具体例２の前記サービスシステム１００では、具体例１におけると同様に、前記自動発券装置１１０と前記通信アダプタ１３との交信により得られた電話番号情報から前記携帯電話１２との通話を確立し、公衆回線１４を経て前記携帯電話１２から自動発券装置１１０の遠隔操作が可能となることから、利用者が手元の前記携帯電話１２で自動発券装置１１０の操作案内を受けることができ、しかも使い慣れた携帯電話１２の操作で前記自動発券装置１１０の操作が可能となる。
【００４０】
したがって、利用者がたとえ視覚障害がある人であっても、隣接する自動発券装置が発する音声による干渉を受けることなく、操作案内を前記携帯電話１２から直接的に聞くことができる。このことから、前記した利用者は明瞭な音声案内を受けることが可能となる。
また、前記利用者が前記自動発券装置１１０へ接近すると、前記利用者は、この接近により自動的に前記自動発券装置１１０からの呼び出しを受けることができ、これにより、自己の所持する使い慣れた前記携帯電話１２から前記自動発券装置１１０の遠隔操作を行うことができる。このことから、前記利用者は、一層円滑な操作を行うことが可能となる。
【００４１】
しかも、具体例２によれば、前記した利用者が前記携帯電話１２のダイヤルキー操作を行うことなく、前記携帯電話１２を通して、音声により直接的に自動発券装置１１を遠隔操作することが可能となることから、前記利用者による操作が一層容易になり、これにより、前記サービスシステム１００によれば、利用者への一層の便宜を図ることができる。
【００４２】
前記した具体例１および２において、前記通信アダプタ１３は、利用者がこれを携行する上での便利さを求めるために、前記携帯電話１２からの取り外しを可能とし、あるいは携帯電話１２に内蔵することができる。
また、前記携帯電話１２は、目の不自由な人のような前記した視覚障害のある人等による操作を一層安易とするために、例えば前記携帯電話１２の操作キー上あるいは各操作キーの近傍に点字を付すべく、貼附用の点字シールを用いることができる。
【００４３】
前記したように、具体例１および２において、前記自動発券装置１１あるいは１１０への前記電話番号情報の通知は、前記自動発券装置１１あるいは１１０から前記通信アダプタ１３への要求信号に基づいて実行されたが、この例に代えて、例えば通信アダプタ１３が前記した要求信号を受けることなく、利用者側からの通信アダプタ１３の操作による自発的な通知に基づいて、該通信アダプタと前記自動発券装置１１あるいは１１０との無線通信を開始することができる。この無線通信により得られた携帯電話１２の電話番号により、前記した例におけると同様に、公衆回線１４を通して前記携帯電話１２から自動発券装置１１あるいは１１０を遠隔操作することができる。
【００４４】
前記した具体例１および２では、本発明に係るサービスシステムの自動サービス装置として前記自動発券装置１１および１１０を示したが、この他に、例えば図書館やショッピングセンターなどで設置される情報検索端末等を、前記自動サービス装置として利用することもできる。
また、本発明は、ホストコンピュータにより集中管理される顧客操作型端末装置に代えて、独立して設置される個々の自動サービス装置を含む自動サービスシステムに適用することができる。
さらに、移動電話として、前記した携帯電話およびＰＨＳに代えて、公衆回線を利用した種々の通信装置を用いることができる。
【００４５】
【発明の効果】
本発明によれば、前記したように、前記自動サービス装置が前記移動電話の電話番号に関する情報を受信すると、前記移動電話を呼び出し、該移動電話との通話により操作案内を利用者に伝え、この案内に対する利用者からの応答を前記移動電話を経て受信すると、この応答に対応する所定の動作信号を前記動作制御部に送出することにより、前記入力情報に対応する所定のサービスを実行することから、前記移動電話を操作媒体として前記自動サービス装置の遠隔操作装置として利用することができる。
【００４６】
従って、前記自動サービス装置の利用者は、該装置の操作の際には、この利用者の所持する使い慣れた前記移動電話を用いて遠隔操作を行うことができることから、一般的には自動サービス装置の例えば機種ごとの操作部等の違いに左右されることなく、例え目が不自由な人であっても、円滑に操作を行うことが可能となる。また、前記自動サービス装置による音声案内が、隣接装置からの音声に干渉されることなく、前記移動電話を経て利用者に直接的に送られるため、前記利用者は、明瞭な音声案内を聞くことができる。
【図面の簡単な説明】
【図１】具体例１の本発明に係るサービスシステムの構成を示すブロック図である。
【図２】具体例１の自動発券装置の動作手順を示すフローチャートである。
【図３】具体例２の本発明に係るサービスシステムの構成を示すブロック図である。
【符号の説明】
１０、１００  サービスシステム
１１、１１０  （自動サービス装置）自動発券装置
１２  （移動電話）携帯電話
１３  （通信器）通信アダプタ
１４  公衆回線
１５ｂ  入力操作部
１６  （動作制御部）制御部
１７  （センサ）近接センサ
１８  （通信機構）無線通信インタフェース回路
１９  （呼制御回路）ＮＣＵ回路
２０  （発生回路）音声合成回路
２１  処理部
【図１】
0004529273.tif 000002
【図２】
0004529273.tif 000003
【図３】
0004529273.tif 000004